(57)【要約】【課題】圧接スロットに圧入済みの電線を適正に保持可能な圧接端子等を提供すること。【解決手段】圧接端子２０は、電線１０を圧入可能な溝状の圧接スロット２６を画成する板状の圧接刃２５と、圧接刃２５を厚さ方向において挟むように配置され、圧接スロット２６に圧入された電線１０が圧接スロット２６から離脱する向きに移動することを規制するように、電線１０を保持可能な一対の保持部２４と、圧接刃２５と一対の保持部２４とを一体的に繋ぐ連結部２１と、を備える。【選択図】図２
2020187895.tif 000002
【特許請求の範囲】
【請求項１】
電線を圧入可能な溝状の圧接スロットを画成する板状の圧接刃と、
前記圧接刃を厚さ方向において挟むように配置され、前記圧接スロットに圧入された前記電線が前記圧接スロットから離脱する向きに移動することを規制するように、前記電線を保持可能な一対の保持部と、
前記圧接刃と前記一対の前記保持部とを一体的に繋ぐ連結部と、を備える、
圧接端子。
【請求項２】
請求項１に記載の圧接端子において、
前記圧接スロットは、
当該圧接スロットに圧入された前記電線の導体芯線を挟んで押圧接触するとともに前記導体芯線と導通する導通部を有し、
前記一対の前記保持部は、
前記導通部に前記導体芯線が位置する状態を保つように、前記電線を保持する、
圧接端子。
【請求項３】
請求項１又は請求項２に記載の圧接端子において、
前記圧接刃は、
所定の立設方向に延びる第１圧接刃と、前記立設方向に延びる第２圧接刃と、の延出端同士が繋がるように構成されたアーチ状の形状を有し、
前記連結部は、
前記第１圧接刃の基端から延びる第１連結部と、前記第２圧接刃の基端から延びる第２連結部と、を有し、
前記一対の前記保持部は、
前記第１連結部から前記立設方向に延びる一方側の前記保持部と、前記第２連結部から前記立設方向に延びる他方側の前記保持部と、を有する、
圧接端子。
【請求項４】
電線と、
前記電線が圧接される請求項１〜請求項３の何れか一項に記載の圧接端子と、を備え、
前記電線は、
前記圧接端子が有する前記圧接刃の前記圧接スロットに圧入されるとともに、前記圧接刃を挟むように配置された前記一対の前記保持部に保持されることにより、前記圧接スロットから離脱する向きに移動することを規制される、
端子付き電線。
【請求項５】
請求項４に記載の端子付き電線において、
前記圧接刃による前記電線の圧接位置は、前記一対の前記保持部による前記電線の保持位置よりも、前記向きに離れる位置にある、
端子付き電線。
【請求項６】
請求項１〜請求項３の何れか一項に記載の圧接端子と、
前記圧接端子を収容するハウジングと、を備える、
コネクタ。
【発明の詳細な説明】
【技術分野】
【０００１】
本発明は、圧接端子、の圧接端子を用いた端子付き電線、及び、その圧接端子をハウジングに収容したコネクタ、に関する。
【背景技術】
【０００２】
従来から、溝状の圧接スロットに電線を圧入することによって電線の導体芯線に電気的に接続される圧接端子が提案されている。圧接端子の利用例として、例えば、複数の圧接端子をバスバ等を介して連結した状態にてハウジングに収容したコネクタが挙げられる（例えば、特許文献１を参照）。このコネクタでは、圧接端子の各々に電線を圧入することで、電線同士を電気的に接続可能となっている。
【先行技術文献】
【特許文献】
【０００３】
【特許文献１】特開２０１６−１３４２３１号公報
【発明の概要】
【発明が解決しようとする課題】
【０００４】
上述した圧接端子を利用した従来のコネクタは、複数の圧接端子の各々への電線の圧入が完了した後、圧接端子と電線との接続箇所をカバーで覆うことで、その接続箇所を保護するようになっている。ところが、複数の圧接端子に対して電線を順番に圧入する過程において、例えば、一部の圧接端子に電線を圧入してから残りの圧接端子に電線を圧入するまでの間に圧入済みの電線に外力が及ぶと、圧入済みの電線が圧接端子から外れる可能性がある。また、圧入済みの電線が圧接端子から外れるほど変位しなくとも、圧接端子と電線との圧接位置が外力によって変位して（ずれて）、圧接端子と電線との間の電気的接続の信頼性が損なわれる可能性がある。
【０００５】
本発明は、上述した事情に鑑みてなされたものであり、その目的は、圧接スロットに圧入済みの電線を適正に保持可能な圧接端子、その圧接端子を用いた端子付き電線、及び、その圧接端子を収容したコネクタ、を提供することにある。
【課題を解決するための手段】
【０００６】
前述した目的を達成するために、本発明に係る圧接端子、端子付き電線、及び、コネクタは、下記［１］〜［６］を特徴としている。
［１］
電線を圧入可能な溝状の圧接スロットを画成する板状の圧接刃と、
前記圧接刃を厚さ方向において挟むように配置され、前記圧接スロットに圧入された前記電線が前記圧接スロットから離脱する向きに移動することを規制するように、前記電線を保持可能な一対の保持部と、
前記圧接刃と前記一対の前記保持部とを一体的に繋ぐ連結部と、を備える、
圧接端子であること。
［２］
上記［１］に記載の圧接端子において、
前記圧接スロットは、
当該圧接スロットに圧入された前記電線の導体芯線を挟んで押圧接触するとともに前記導体芯線と導通する導通部を有し、
前記一対の前記保持部は、
前記導通部に前記導体芯線が位置する状態を保つように、前記電線を保持する、
圧接端子であること。
［３］
上記［１］又は上記［２］に記載の圧接端子において、
前記圧接刃は、
所定の立設方向に延びる第１圧接刃と、前記立設方向に延びる第２圧接刃と、の延出端同士が繋がるように構成されたアーチ状の形状を有し、
前記連結部は、
前記第１圧接刃の基端から延びる第１連結部と、前記第２圧接刃の基端から延びる第２連結部と、を有し、
前記一対の前記保持部は、
前記第１連結部から前記立設方向に延びる一方側の前記保持部と、前記第２連結部から前記立設方向に延びる他方側の前記保持部と、を有する、
圧接端子であること。
［４］
電線と、
前記電線が圧接される上記［１］〜上記［３］の何れか一つに記載の圧接端子と、を備え、
前記電線は、
前記圧接端子が有する前記圧接刃の前記圧接スロットに圧入されるとともに、前記圧接刃を挟むように配置された前記一対の前記保持部に保持されることにより、前記圧接スロットから離脱する向きに移動することを規制される、
端子付き電線であること。
［５］
上記［４］に記載の端子付き電線において、
前記圧接刃による前記電線の圧接位置は、前記一対の前記保持部による前記電線の保持位置よりも、前記向きに離れる位置にある、
端子付き電線であること。
［６］
上記［１］〜上記［３］の何れか一つに記載の圧接端子と、
前記圧接端子を収容するハウジングと、を備える、
コネクタであること。
【０００７】
上記［１］の構成の圧接端子によれば、圧接刃の圧接スロットに圧入された電線を一対の保持部によって保持することで、電線が圧接スロットから離脱する向きに移動することを規制できる。よって、本構成の圧接端子は、上述した従来の圧接端子に比べ、圧入済みの電線に意図しない外力が及んだ場合であっても、電線の外れや位置ずれを抑制できる。したがって、本構成の圧接端子は、圧接スロットに圧入済みの電線を適正に保持可能である。
【０００８】
上記［２］の構成の圧接端子によれば、電線の導体芯線と圧接スロットの導通部とが接触した状態が維持されるように、保持部によって電線が保持される。よって、圧接端子と電線との間の電気的接続の信頼性を更に向上できる。
【０００９】
上記［３］の構成の圧接端子によれば、圧接刃、一対の保持部、及び、連結部が一体化された構造を有する圧接端子を提供できる。このような圧接端子は、例えば、一枚の金属板に対してプレス加工や曲げ加工を施すことで製造できるため、圧接端子を多数の独立した部材から構成する場合に比べ、低コストでの生産性などに優れる。
【００１０】
上記［４］の構成の端子付き電線によれば、圧接刃の圧接スロットに圧入された電線を一対の保持部によって保持することで、電線が圧接スロットから離脱する向きに移動することを規制できる。よって、本構成の端子付き電線は、上述した従来の圧接端子を用いた圧接端子に比べ、圧入済みの電線に意図しない外力が及んだ場合であっても、電線の外れや位置ずれを抑制できる。したがって、本構成の端子付き電線は、圧接スロットに圧入済みの電線を適正に保持可能である。
【００１１】
上記［５］の構成の端子付き電線によれば、圧接刃による電線との圧接位置が、一対の保持部による電線の保持位置よりも、圧接スロットから電線が離脱する向き（電線が抜ける向き）にオフセットしている。逆に言えば、溝状の圧接スロットの奥側（深さ方向の最深部に向けて）に電線を引き込むように、一対の保持部が電線に外力を及ぼした状態で、電線が保持部に保持される。これにより、圧接スロットに電線が強固に圧入された状態が維持されるとともに、保持部も電線に強く押し付けられることになる。その結果、本構成の端子付き電線は、圧接スロットからの電線の外れや位置ずれの抑制に加え、電線の軸線方向における電線の変位も抑制できる。
【００１２】
上記［６］の構成のコネクタによれば、圧接刃の圧接スロットに圧入された電線を一対の保持部によって保持することで、電線が圧接スロットから離脱する向きに移動することを規制できる。よって、本構成の端子付き電線は、上述した従来の圧接端子を用いたコネクタに比べ、圧入済みの電線に意図しない外力が及んだ場合であっても、電線の外れや位置ずれを抑制できる。したがって、本構成のコネクタは、例えば、圧接端子に電線を圧入してからカバー等で接続箇所を覆うまでの間に圧入済みの電線に外力が及んでも、圧入済みの電線の外れや位置ずれを抑制できる。したがって、本構成のコネクタは、圧接スロットに圧入済みの電線を適正に保持可能である。
【発明の効果】
【００１３】
このように、本発明によれば、圧接スロットに圧入済みの電線を適正に保持可能な圧接端子、その圧接端子を用いた端子付き電線、及び、その圧接端子を収容したコネクタ、を提供できる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】図１は、ハウジングに固定された本発明の実施形態に係る圧接端子に電線を取り付ける前の状態を示し、図１（ａ）は、その斜視図であり、図１（ｂ）は、その正面図である。
【図２】図２（ａ）は、本発明の実施形態に係る圧接端子に電線を取り付ける前の状態を示す斜視図であり、図２（ｂ）は、本発明の実施形態に係る圧接端子に電線を取り付けて得られる本発明の実施形態に係る端子付き電線を示す斜視図である（便宜上、ハウジングの図示は省略している）。
【図３】図３は、圧接端子の正面図であり、図３（ａ）は、電線が取り付けられる前の状態を示し、図３（ｂ）は、電線が取り付けられた後の状態を示す。
【図４】図４は、圧接端子に電線が取り付けられた状態を示す側面図である。
【図５】図５は、圧接用治具を用いて電線を圧接端子に取り付ける際の様子を説明するための斜視図である。
【図６】図６（ａ）〜図６（ｃ）は、ハウジングに固定された圧接端子に電線を取り付ける際の過程を説明するための図である。
【図７】図７は、第１の変形例に係る圧接端子に電線が取り付けられた状態を示す側面図である。
【図８】図８（ａ）は、第２の変形例に係るバレル部を示す斜視図であり、図８（ｂ）は、第３の変形例に係るバレル部を示す斜視図である。
【発明を実施するための形態】
【００１６】
＜実施形態＞
以下、図面を参照しながら、電線１０と、本発明の実施形態に係る圧接端子２０と、を備える、本発明の実施形態に係る端子付き電線１について説明する。更に、本発明の実施形態に係る圧接端子２０と、ハウジング２と、を備える、本発明の実施形態に係るコネクタ３についても説明する。特に図１，２，６に示すように、複数（２つ）の圧接端子２０は、結合部３１を介して一体的に形成され且つ導通された状態で、ハウジング２に取り付けられる。更に、複数の圧接端子２０の各々が、対応する電線１０に取り付けられる。これにより、複数（２つ）の圧接端子２０を介して２本の電線１０が電気的に接続されるとともに、電線１０と圧接端子２０との接続箇所がハウジング２で保護される。
【００１７】
以下、説明の便宜上、図１及び図２に示すように、「前後方向」、「上下方向」、「幅方向」、「前」、及び「後」を定義する。前後方向、上下方向、及び幅方向は互いに直交している。前後方向は、電線１０の延在方向と一致している。以下、端子付き電線１を構成する各部品について順に説明する。
【００１８】
まず、電線１０について説明する。電線１０は、図２に示すように、長尺線状の金属製の導体芯線１１と、導体芯線１１の側面を被覆する樹脂製の被覆１２と、を有している。本例では、電線１０の断面は、円形状を有しているが、矩形状などの円形状以外の形状を有していてもよい。
【００１９】
次いで、圧接端子２０について説明する。圧接端子２０は、図２（ａ）に示すように、１枚の金属平板にプレス加工及び曲げ加工を施すことで形成されている。圧接端子２０は、前後方向に並ぶ一対の底板部２１と、一対の底板部２１の前後方向内側（互いに対向する側）の端部から上方に起立（立設）する一対の立設板部２２と、一対の立設板部２２の上端部（延出端）同士を前後方向に繋ぐ上板部２３と、一対の底板部２１の前後方向外側（互いに対向する側と反対側）の端部に設けられた一対のバレル部２４と、を備える。一対の立設板部２２（即ち、後述する圧接刃２５）と上板部２３とは、全体として、アーチ状の形状をなしている。
【００２０】
一対の底板部２１は、厚さ方向が上下方向を向いた一対の平板であり、一つの平面を構成するように、前後方向に間隔を空けて位置している。
【００２１】
一対の立設板部２２は、厚さ方向が前後方向を向いた一対の平板であり、前後方向に間隔を空けて対向している。各立設板部２２には、幅方向中央部に圧接スロット２６を画成するように構成された圧接刃２５が設けられている。より具体的には、圧接刃２５は、圧接スロット２６を挟んで幅方向に対向する形状を有するように構成される。この結果、２つの圧接刃２５が、前後方向に間隔を空けて並んでいる。圧接スロット２６は、上方に開口し且つ下方に延びる溝状の空間である。よって、上板部２３は、具体的には、圧接刃２５の幅方向の一方側の上端部同士及び圧接刃２５の幅方向の他方側の上端部同士をそれぞれ、前後方向に連結している。
【００２２】
圧接刃２５は、図３（ａ）に示すように、上側に位置する開口部２７と、開口部２７の下側に連続する導通部２８と、を有している。開口部２７は、下方に向かうほど（底板部２１に近づくほど）圧接スロット２６の間隔が狭くなる部分であり、電線１０の被覆１２を食い破るとともに電線１０を導通部２８までガイドする機能を果たす。
【００２３】
導通部２８は、圧接スロット２６の間隔が上下方向において一定に維持される部分であり、圧接スロット２６に圧入される電線１０の導体芯線１１と導通する機能を果たす。導通部２８の下端部は、下方に向かうほど圧接スロット２６の間隔が狭くなっており、導通部２８の下端は、底板部２１から寸法Ｌだけ上方に離れた位置にある（図３（ａ）参照）。
【００２４】
一対のバレル部２４は、一対の立設板部２２（よって、２つの圧接刃２５）を前後方向に挟むように位置している。各バレル部２４は、図２（ａ）に示すように、上方に起立する一対の加締片２９を備えている。一対の加締片２９は、厚さ方向が幅方向を向いた一対の平板であり、幅方向に間隔を空けて対向している。一対のバレル部２４は、圧接スロット２６の導通部２８に導体芯線１１が位置する状態を保つように、電線１０を保持するようになっている（図２（ｂ）等を参照）。
【００２５】
また、本例では、図４に示すように、上下方向において、圧接刃２５による電線１０との圧接位置と、一対のバレル部２４による電線１０の保持位置と、が略一致している。よって、一対のバレル部２４の間に位置する電線１０は、前後方向全域に亘って略直線状に延びている。
【００２６】
本例では、図２（ａ）に示すように、２つの圧接端子２０が、互いの底板部２１に連結する結合部３１によって、幅方向に並ぶように連結されて導通されている。このように、互いに導通された２つの圧接端子２０は、ハウジング２に取り付けられている。以上、端子付き電線１を構成する各部品について説明した。
【００２７】
次いで、ハウジング２及びコネクタ３について説明する。図１に示すように、樹脂製のハウジング２は、基部４１と、基部４１の上方開口を塞ぐ蓋部４２と、基部４１に対して蓋部４２を開閉可能に連結するヒンジ部４３と、を一体に備える。ハウジング２は、蓋部４２の閉状態にて、矩形箱状の筐体を構成するようになっている（図６（ｃ）も参照）。
【００２８】
基部４１は、矩形状の底部４４と、底部４４の幅方向両側縁部から上方に起立すると共に前後方向に延びる一対の側板部４５と、を備え、前後方向及び上方向に開口している。一対の側板部４５のうち一方の側板部４５の上端部の前後方向中央部には、ヒンジ部４３の一端側が連結されている。一対の側板部４５のうち他方の側板部４５の幅方向外側面の中央部には、幅方向外側に突出する係止突起４６が形成されている。
【００２９】
基部４１の底部４４の上面（内面）の所定位置には、図１に示すように、結合部３１によって連結された２つの圧接端子２０（図２（ａ）参照）が、幅方向に並ぶように固定されている。圧接端子２０の固定は、圧接端子２０の底板部２１及び結合部３１の少なくとも一方を、基部４１の底部４４の上面に、公知の手法により固定することで達成される。これにより、コネクタ３が得られる。
【００３０】
蓋部４２は、図１（ａ）に示す開状態において、矩形状の天板部４７と、天板部４７の幅方向一方側の縁部から上方に起立すると共に前後方向に延びる側板部４８と、天板部４７の前後方向両側縁部から上方に起立すると共に幅方向に延びる一対の前後板部４９と、を備え、上方向及び幅方向他方側に開口している。天板部４７の幅方向他方側の前後方向に延びる縁部における前後方向中央部には、ヒンジ部４３の他端側が連結されている。
【００３１】
一対の前後板部４９の各々には、幅方向に並ぶ２つの電線１０を挿通させるための２つの挿通部５１が、幅方向に並んで形成されている。各挿通部５１は、天板部４７に向けて窪んだ溝部である。側板部４８の前後方向中央部には、側板部４８に代えて、側板部４８から独立して天板部４７から舌状に起立する係止片５２が形成されている。係止片５２の係止孔は、蓋部４２を閉じたときに、基部４１の係止突起４６に係止されるようになっている。以上、ハウジング２及びコネクタ３について説明した。
【００３２】
次いで、圧接端子２０を電線１０に取り付ける方法について説明する。本実施形態では、図５に示す圧接用治具６０を用いて圧接端子２０を電線１０に取り付けるようになっている。圧接用治具６０は、樹脂製又は金属製であり、前後方向に延びる基部６１と、基部６１の下部から下側に突出し且つ前後方向に延びる圧接用突起６２と、圧接用突起６２を前後方向に挟むように基部６１の下部から下側に突出する一対の加締め用クリンパ６３と、を一体に備える。
【００３３】
圧接用治具６０を用いて圧接端子２０を電線１０に取り付けるためには、まず、図６（ａ）に示すように、ハウジング２の蓋部４２を開状態に維持した状態にて、圧接用治具６０を用いて、２本の電線１０のうち一方の電線１０を、ハウジング２の基部４１に固定された２つの圧接端子２０のうち一方の圧接端子２０に取り付ける。
【００３４】
具体的には、電線１０が、圧接刃２５の開口部２７（圧接スロット２６）に載置され、且つ、開口部２７の前後方向両側にそれぞれ位置する一対の加締片２９の間の空間にそれぞれ挿通されるように、配置された状態で、電線１０の上方に配置された圧接用治具６０を下向きに押圧する。これにより、圧接用突起６２が、開口部２７に載置されている電線１０を下向きに押し込むとともに、一対の加締め用クリンパ６３の各々が、対応する一対の加締片２９の先端部を押圧する。
【００３５】
圧接用突起６２が、圧接刃２５の開口部２７に載置されている電線１０を下向きに押し込むことにより、電線１０の被覆１２が食い破られるとともに導体芯線１１が露出し、その導体芯線１１が導通部２８の間に入り込む（図２（ｂ）、図３（ｂ）、図４参照）。これにより、導体芯線１１と導通部２８との電気的な接続（即ち、圧接端子２０と電線１０との電気的な接続）が達成される。
【００３６】
各加締め用クリンパ６３が一対の加締片２９の先端部を押圧することにより、一対の加締片２９の間の空間に挿通されている電線１０の上側に位置する一対の加締片２９の先端部が、互いに係合するように加締められる（図２（ｂ）、図３（ｂ）、図４参照）。本例では、一対の加締片２９の先端部同士が、一方の加締片２９の先端部の上に他方の加締め片２９の先端部が重なる（オーバーラップする）ように、係合する。これにより、一対の加締片２９の間の空間に位置する電線１０が当該空間から上方に抜け出ることが抑制され得ることで、圧接刃２５の導通部２８に圧入されている電線１０が上方に抜け出ること（即ち、圧接刃２５の開口部２７に向かうこと）が抑制され得る。
【００３７】
以上のような工程を経て、まず、２本の電線１０のうち一方の電線１０が、ハウジング２の基部４１に固定された２つの圧接端子２０のうち一方の圧接端子２０に取り付けられる（図６（ａ）参照）。これにより、一方の圧接端子２０について、端子付き電線１が得られることになる。
【００３８】
次いで、同様の手順により、図６（ｂ）に示すように、２本の電線１０のうち他方の電線１０も、他方の圧接端子２０に取り付けられる。これにより、他方の圧接端子２０について、端子付き電線１が得られることになる。更に、２つの端子付き電線１同士が、２つの圧接端子２０を連結する結合部３１（図２参照）を介して導通される。
【００３９】
そして、図６（ｃ）に示すように、ハウジング２の蓋部４２の各挿通部５１から対応する電線１０がそれぞれ延出するように、ハウジング２の蓋部４２が閉じられて、蓋部４２の係止片５２の係止孔が、基部４１の係止突起４６に係止される。これにより、２つの端子付き電線１に対するハウジング２の取り付けが完了する。ハウジング２の取り付けが完了することで、図６（ｃ）に示すように、２つの端子付き電線１の接続箇所が、矩形箱状の筐体を構成するハウジング２の内部に位置し、ハウジング２により保護される。
【００４０】
＜作用・効果＞
以上、本発明の実施形態に係る圧接端子２０、端子付き電線１及びコネクタ３によれば、圧接刃２５の圧接スロット２６に圧入された電線１０を一対のバレル部２４によって保持することで、電線１０が圧接スロット２６から離脱する向きに移動することを規制できる。よって、本構成の圧接端子２０は、上述した従来の圧接端子２０に比べ、圧入済みの電線１０に意図しない外力が及んだ場合であっても、電線１０の外れや位置ずれを抑制できる。したがって、圧接端子２０は、圧接スロット２６に圧入済みの電線１０を適正に保持可能である。
【００４１】
更に、圧接端子２０によれば、電線１０の導体芯線と圧接スロット２６の導通部２８とが接触した状態が維持されるように、バレル部２４によって電線１０が保持される。よって、圧接端子２０と電線１０との間の電気的接続の信頼性を更に向上できる。
【００４２】
更に、圧接端子２０によれば、圧接刃２５、一対のバレル部２４、及び、底板部２１が一体化された構造を有する圧接端子２０を提供できる。このような圧接端子２０は、例えば、一枚の金属板に対してプレス加工や曲げ加工を施すことで製造できるため、圧接端子２０を多数の独立した部材から構成する場合に比べ、低コストでの生産性などに優れる。
【００４３】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
上記実施形態では、上下方向において、圧接刃２５による電線１０との圧接位置と、一対のバレル部２４による電線１０の保持位置と、が略一致している（図４参照）。これに対し、図７に示すように、圧接刃２５による電線１０との圧接位置が、一対のバレル部２４による電線１０の保持位置より上側に位置していてもよい。これによれば、圧接刃２５に電線１０を圧入する向き（下向き）の力をバレル部２４によって電線１０に及すことで、電線１０を圧接刃２５に強固に圧入した状態を維持できる。よって、立設方向（上下方向）における電線１０の意図しない移動に加え、電線１０の軸線方向における電線１０の意図しない移動も規制できる。
【００４５】
更に、上記実施形態では、バレル部２４を構成する一対の加締片２９の先端部同士が、一方の加締片２９の先端部の上に他方の加締め片２９の先端部が重なる（オーバーラップする）ように、（塑性変形して）係合している（図３（ｂ）参照）。これに対し、図８（ａ）に示すように、バレル部２４を構成する一対の加締片２９の先端部同士が、当該先端部同士に設けられたテーパ状の側面同士が密着するように、（塑性変形して）係合していてもよい。
【００４６】
更に、図８（ｂ）に示すように、バレル部２４が、電線１０を挟持する一対の弾性片２９で構成されてもよい。図８（ｂ）に示す例では、一対の弾性片２９は、厚さ方向が前後方向を向いた一対の片持ち梁状の平板である。一対の弾性片２９は、電線１０の圧接刃２５への圧入動作中には、幅方向外側に一時的に弾性変形して一対の弾性片２９の間への電線１０の進入を許容し、電線１０の圧入後には、幅方向内側に弾性復帰して電線１０が上方に抜け出ることを抑制するように構成されている。
【００４７】
更に、上記実施形態では、一対のバレル部２４の間に、一対の立設板部２２（よって、２つの圧接刃２５）が位置している。これに対し、一対のバレル部２４の間に、一枚の立設板部２２（よって、１つの圧接刃２５）が位置していてもよい。
【００４８】
ここで、上述した本発明に係る圧接端子２０、端子付き電線１及びコネクタ３の実施形態の特徴をそれぞれ以下［１］〜［６］に簡潔に纏めて列記する。
［１］
電線（１０）を圧入可能な溝状の圧接スロット（２６）を画成する板状の圧接刃（２５）と、
前記圧接刃（２５）を厚さ方向において挟むように配置され、前記圧接スロット（２６）に圧入された前記電線（１０）が前記圧接スロット（２６）から離脱する向きに移動することを規制するように、前記電線（１０）を保持可能な一対の保持部（２４）と、
前記圧接刃（２５）と前記一対の前記保持部（２４）とを一体的に繋ぐ連結部（２１）と、を備える、
圧接端子（２０）。
［２］
上記［１］に記載の圧接端子（２０）において、
前記圧接スロット（２６）は、
当該圧接スロット（２６）に圧入された前記電線（１０）の導体芯線（１１）を挟んで押圧接触するとともに前記導体芯線（１１）と導通する導通部（２８）を有し、
前記一対の前記保持部（２４）は、
前記導通部（２８）に前記導体芯線（１１）が位置する状態を保つように、前記電線（１０）を保持する、
圧接端子（２０）。
［３］
上記［１］又は上記［２］に記載の圧接端子（２０）において、
前記圧接刃（２５）は、
所定の立設方向に延びる第１圧接刃（２５）と、前記立設方向に延びる第２圧接刃（２５）と、の延出端同士が繋がるように構成されたアーチ状の形状を有し、
前記連結部（２１）は、
前記第１圧接刃（２５）の基端から延びる第１連結部（２１）と、前記第２圧接刃（２５）の基端から延びる第２連結部（２１）と、を有し、
前記一対の前記保持部（２４）は、
前記第１連結部（２１）から前記立設方向に延びる一方側の前記保持部（２４）と、前記第２連結部（２１）から前記立設方向に延びる他方側の前記保持部（２４）と、を有する、
圧接端子（２０）。
［４］
電線（１０）と、前記電線（１０）が圧接される上記［１］〜上記［３］の何れか一つに記載の圧接端子（２０）と、を備え、
前記圧接端子（２０）が有する前記圧接刃（２５）の前記圧接スロット（２６）に圧入された前記電線（１０）は、前記圧接刃（２５）を挟むように配置された前記一対の前記保持部（２４）に保持されることにより、前記圧接スロット（２６）から離脱する向きに移動することを規制される、
端子付き電線（１）。
［５］
上記［４］に記載の端子付き電線（１）において、
前記圧接刃（２５）による前記電線（１０）の圧接位置は、前記一対の前記保持部（２４）による前記電線（１０）の保持位置よりも、前記向きに離れる位置にある、
端子付き電線（１）。
［６］
上記［１］〜上記［３］の何れか一つに記載の圧接端子（２０）と、
前記圧接端子（２０）を収容するハウジング（２）と、を備える、
コネクタ（３）。
【符号の説明】
【００４９】
１      端子付き電線
２      ハウジング
３      コネクタ
１０    電線
２０    圧接端子
２１    底板部（連結部）
２４    バレル部（保持部）
２５    圧接刃
２６    圧接スロット
２７    開口部
２８    導通部
【図１】
2020187895.tif 000003
【図２】
2020187895.tif 000004
【図３】
2020187895.tif 000005
【図４】
2020187895.tif 000006
【図５】
2020187895.tif 000007
【図６】
2020187895.tif 000008
【図７】
2020187895.tif 000009
【図８】
2020187895.tif 000010